(57)【要約】【課題】冷却に用いられるファンを、出来るだけ過不足無く駆動させることが可能となる表示装置を提供する。【解決手段】表示パネルと、表示パネルの背面側に配置され、該表示パネルでの表示制御を行う表示制御回路と、表示パネルを冷却するための空気流を発生するファンと、制御回路上に設けられた温度検出部と、温度検出部の検出結果に応じてファンの回転速度または駆動個数を制御するファン制御回路と、を備える表示装置とする。【選択図】図５
2012141414.tif 000002
【特許請求の範囲】
【請求項１】
表示パネルと、
表示パネルの背面側に配置され、該表示パネルでの表示制御を行う表示制御回路と、
表示パネルを冷却するための空気流を発生するファンと、
制御回路上に設けられた温度検出部と、
温度検出部の検出結果に応じてファンの回転速度または駆動個数を制御するファン制御回路と、を備えることを特徴とする表示装置。
【請求項２】
照度を検出する照度検出部を備え、
前記温度検出部の検出結果および前記照度検出部の検出結果に応じて、前記ファンの回転速度または駆動個数を制御することを特徴とする請求項１に記載の表示装置。
【請求項３】
表示パネルと、
表示パネルを冷却するための空気流を発生するファンと、
照度を検出する照度検出部と、
照度検出部の検出結果に応じてファンの回転速度または駆動個数を制御するファン制御回路と、を備えることを特徴とする表示装置。
【請求項４】
前記照度検出部の検出結果が所定の閾値を超えたときに、前記ファンの回転速度または駆動個数を増大させることを特徴とする請求項３に記載の表示装置。
【請求項５】
表示パネルの前面側に配備された透明保護部材を更に備え、
前記ファンは、
表示パネルと保護部材の間に、空気流を発生させることを特徴とする、請求項１から４の何れかに記載の表示装置。
【請求項６】
太陽電池と、
前記太陽電池により得られた電力により駆動する請求項１から５の何れかに記載の表示装置を備える表示システム。
【発明の詳細な説明】
【技術分野】
【０００１】
本発明は、コンテンツを表示する表示装置、およびこれを備えた屋外表示システムに関する。
【背景技術】
【０００２】
近年、平面ディスプレイ等によって映像や情報を表示する広告媒体（デジタルサイネージ）が登場している。（例えば、特許文献１）。
【０００３】
このような広告媒体を、屋外で使用する場合、特に太陽光の照射による熱で液晶パネルが誤動作する恐れがあるので、パネルを冷却する手段を設けることが必要である。
【０００４】
例えば特許文献２では、空気流を発生する為のファンを設け、この空気流によって液晶パネルを冷却している。
【先行技術文献】
【特許文献】
【０００５】
【特許文献１】特開２００９−２９４２８４号公報
【特許文献２】米国特許公開公報２００９／０１４７１７０
【発明の概要】
【発明が解決しようとする課題】
【０００６】
表示パネルの温度上昇を抑えるという観点からは、ファンの回転速度を常時最大にすれば良い。しかしこの場合、消費電力が大きくなる。
【０００７】
一方、出願人は、太陽電池を備えた表示装置システムをデジタルサイネージ用に開発中である（例えば、特願2010-147775（2010年6月3日出願）、特願2010-266333（2010年11月30日出願）。これにより、電力系統が供給されていない場所でも表示装置の設置が可能となる。このシステムでは、表示装置（大型モニタ）の上部に太陽電池を設け、表示装置と太陽電池が一体化した構成としている。しかしながら、上記のシステムでは、商用電源から電源供給を受ける従来の表示装置（テレビ）よりも、表示装置の更なる低消費電力化が求められている。
【０００８】
本発明は上述した問題に鑑み、液晶パネルの効率的な冷却と、低消費電力化の両立を実現するための表示装置、特に屋外配置に好適な表示装置の提供を目的とする。
【課題を解決するための手段】
【０００９】
本発明に係る表示装置は、表示パネルと、表示パネルの背面側に配置され、該表示パネルでの表示制御を行う表示制御回路と、表示パネルを冷却するための空気流を発生するファンと、制御回路上に設けられた温度検出部と、温度検出部の検出結果に応じてファンの回転速度または駆動個数を制御するファン制御回路と、を備える構成とする。
【００１０】
本構成によれば、検出された温度に応じてファンの回転速度または駆動個数を制御することが可能となる。
【００１１】
また本発明に係る別の形態の表示装置は、表示パネルと、表示パネルを冷却するための空気流を発生するファンと、照度を検出する照度検出部と、照度検出部の検出結果に応じてファンの回転速度または駆動個数を制御するファン制御回路と、を備える構成とする。
【００１２】
本構成によれば、直射日光が当たる状況となったとき、すなわち急激な温度上昇が生じる状況となったときに、ファンの回転速度または駆動個数を増大させることが可能となる。また、直射日光が当たる状況となったことを、これによる温度上昇が生じる前に検出し、予め冷却を強めることで温度上昇を事前に抑えることも可能となる。
【００１３】
また本発明に係る表示システムは、太陽電池と、前記太陽電池により得られた電力により駆動する上記構成の表示装置を備える構成とする。
【発明の効果】
【００１４】
上述した通り、本発明に係る表示装置によれば、液晶パネルの効率的な冷却と、低消費電力化の両立を実現することが可能となる。
【図面の簡単な説明】
【００１５】
【図１】本発明の実施形態に係る屋外表示システムの斜視図である。
【図２】当該屋外表示システムの別の斜視図である。
【図３】当該屋外表示システムの側面図である。
【図４】当該屋外表示システムの構成に関するブロック図である。
【図５】液晶パネルの背面側における回路配置を表す説明図である。
【図６】本発明の実施形態に係る表示装置の外観図である。
【図７】当該表示装置の断面図である。
【図８】当該表示装置の別の断面図である。
【発明を実施するための形態】
【００１６】
本発明の実施形態について、屋外で利用される屋外表示システムを例に挙げて以下に説明する。
【００１７】
［屋外表示システムの構成等について］
図１から図３の各々は、当該屋外表示システム９の外観図である。図１は斜め前方から見た図（斜視図）、図２は斜め後方から見た図（斜視図）、図３は横から見た図（側面図）を、それぞれ表している。
【００１８】
先ず図１を参照して、屋外表示システム９は、表示装置４や冷却ケース７などが収納された本体ケース９１を有している。表示装置４には、タッチパネル４６や照度センサ５０ｂが設けられており（図６等を参照）、これらは本体ケース９１の前面から露出している。
【００１９】
本体ケース９１の下部には、該ケース９１を支える為の脚部９２が設けられている。また本体ケース９１の下底面には、開口部９１０ａ、９１０ｂが設けられている。これらの開口部９１０において、本体ケース９１の内部と外部は導通しており、空気が自由に出入りできる。開口部９１０ａは、後述する吸気用ダクト１１の下部に設けられた開口１１ａの真下の位置に設けられている。開口部９１０ｂは、後述する排気用ダクト１２の下部に設けられた開口１１ｂの真下の位置に設けられている。また本体ケース９１の上部には、支持部９３に支えられるようにして、屋根９４が設けられている。屋根９４の上面には、太陽光を受光する太陽電池パネル９５が敷かれている。なお屋根９４の角度は、太陽電池パネル９５へ太陽光が効率的に入射するように、適切に設定されている。この屋外表示システム９では、この太陽電池パネル９５により発電された電力を用いて表示装置４が駆動される。
【００２０】
図４は、屋外表示システム９の構成を表すブロック図である。本図に示すように屋外表示システム９は、太陽電池１、蓄電池２、コントローラ３、表示装置４、インバータ８を備えている。
【００２１】
太陽電池１は、太陽電池パネル９５などから形成されており、受光した太陽光を光電変換することにより発電を行う。また蓄電池２は、例えばリチウムイオンバッテリー（バッテリーパック）である。
【００２２】
コントローラ３は、太陽電池１が発電した（直流）電力を、蓄電池２および表示装置４へ供給する。なおコントローラ３は、原則的に、太陽電池１が発電した電力の大部分をそのまま表示装置４へ供給し、余剰電力（太陽電池１による発電電力と表示装置４の消費電力の差分電力）を蓄電池２へ供給する。但しコントローラ３は、発電電力の不足時（例えば夜間や雨天時）には、蓄電池２から表示装置４へ電力供給がなされるようにする。
【００２３】
またコントローラ３には、直流電力を交流電力に変換するインバータ８が接続されている。インバータ８は、コントローラ３から出力される直流電力を、交流電力に変換して表示装置４に送出する。尚、交流電力に変換するのは、本実施形態では、表示装置４が、現在市販されている多くのテレビと同様、商用電源（交流電力）で駆動するものと仮定しているためである。仮に表示装置４が、直流電源により駆動可能であれば、このインバータ８は不要である。
【００２４】
表示装置４は、コンテンツを表示する液晶表示装置であり、受信部４１、蓄積部４２、表示制御部４３、表示パネル４４、バックライト４５、タッチパネル４６、電源回路４７、制御部４８、パネル用冷却ファン４９、温度センサ５０ａ、および照度センサ５０ｂ、タッチパネル信号処理回路５２（図４では、ＴＰ処理回路５２と記載）などを備えている。
【００２５】
送受信部４１は、外部のコンテンツサーバ（例えば、ＡＳＰサーバ、パソコンなど）、あるいは放送局から無線通信（例えば、ＷｉＭＡＸ、ＩＥＥＥ８０２．１１ｂ／ｇなどの方式）により送信される信号を受信するアンテナと、アンテナで受信した信号に対し復調処理などを行う信号処理部などを備える。ここで、受信する信号としては、広告コンテンツ、屋外表示システム１０の管理事業者から送信される屋外表示システム１０の制御信号、天気予測会社から送信される周辺の天気予測情報などである。広告コンテンツが、例えば、ＯＦＤＭ方式により変調されて伝送された、ＭＰＥＧ２−ＴＳ形式の信号であれば、送受信部３５はＯＦＤＭ復調を行い、ＭＰＥＧ２−ＴＳ信号を抽出する。抽出されたＭＰＥＧ２−ＴＳ信号は、蓄積部４２へ出力される。
【００２６】
また、送受信部４１は、送信アンテナを介して、外部へ信号を無線通信により送信することができる。送信する信号としては、例えば屋外表示システム９の稼動情報、故障発生情報などであり、これらの情報は、屋外表示システム９の管理事業者等に送信される。また、表示パネル４４により表示されるコンテンツが対話型（双方向）コンテンツである場合、タッチパネル４６によるユーザの入力結果が、送受信部４１を介してコンテンツサーバへ送信される。
【００２７】
なお、送受信部４１が受信する信号のうち、屋外表示システム９の制御信号等は、制御部４８経由でコントローラ３へ送信される。コントローラ３は、これらの信号、情報を用いて屋外表示システム９の制御を行う。
【００２８】
蓄積部４２は、送受信部４１により抽出されたＭＰＥＧ２−ＴＳ信号を保存する。即ち、コンテンツサーバや放送局から送信されたコンテンツを保存する。コンテンツがリアルタイムコンテンツである場合（受信したコンテンツを即時に表示パネル４４で表示するような場合）、蓄積部４２は、バッファメモリとして機能する。コンテンツが、ユーザの操作に応じて表示されるコンテンツ、或いは予め設定されたタイムスケジュールに基づいて表示されるコンテンツである場合、蓄積部４２は、ストレージメディアとして機能する。  
【００２９】
表示制御部４３は、蓄積部４２から読み出された信号を処理する信号処理回路４３ａと、表示パネル４４の変調制御を行うパネル制御部４３ｂを備える。信号処理回路４３ａは、ＭＰＥＧ−ＴＳ形式で蓄積部に蓄積されていたコンテンツをデコードして映像信号に変換したりする。パネル制御回路４３ｂは、信号処理回路４３ａからの映像信号に応じて、表示パネル４４を駆動する為の信号を生成する。そして、表示パネル４４は、このパネル制御回路４３ｂからの制御信号に応じて駆動される。なお、後述するように、信号処理回路４３ａは、例えば制御部４８と同じ回路基板（所謂メインボード）に配置され、パネル制御回路４３ｂは、液晶パネルのエッジ部近傍に設けられた回路基板（所謂サブボード）に配置される。なお、上記メインボードと、サブボードはいずれも表示パネル４４の背面側に配置されている。
【００３０】
なお、表示制御部４３の信号処理回路４３ａ、パネル制御部４３ｂは高速な処理を必要とするため、ＣＰＵにより構成される制御部４８とは別に設けられた専用のハードウエア回路により実現される。
【００３１】
表示パネル４４は、実際に画像の表示を行う部分であり、この表示装置４では、液晶表示パネルが用いられている。液晶表示パネルは、表示する画像の内容に応じてパネルの各画素に対応する液晶がオン・オフ（又はその中間状態に）駆動される。
【００３２】
バックライト４５は、表示パネル４４に白色光を照射する。バックライト４５は、例えば冷陰極管（ＣＣＦＬ）、ＬＥＤ光源が用いられる。本実施形態の表示装置４は、オフグリッドで使用されるため、低消費電力化が望まれている。そのため、ＬＥＤ光源が用いられることが好ましい。
【００３３】
タッチパネル４６は、表示パネル４４の前面側に配置される、透明の静電容量型のタッチセンサである。このタッチパネル４６はユーザからの入力を受け付ける。例えば、表示パネル４６が、ユーザに三択させるためのボタン画像を表示している場合、ユーザが、タッチパネル４６のボタン画像に対応する位置をタッチした場合、ユーザによる入力がなされたものとみなす。
【００３４】
電源回路４７は、表示装置４の各部に対し電源供給を行う。本実施形態では、交流である商用電源から電力が供給される表示装置４を想定しているので、電源回路４７は、この交流電力（例えば、１００Ｖ、６０Ｈｚ）を直流（２４Ｖ、１２Ｖ、５Ｖ等）に変換して表示装置４の各部へ電源供給する。なお、表示パネル４４、バックライト４５における消費電力が、他の部分と比較して大きいことに鑑み、図４では、電源回路４７は、あたかも表示パネル４４、バックライト４５に対してのみ電源供給を行うごとく記述しているが、実際は、その他の各部にも電力を供給する。
【００３５】
制御部４８は、表示装置４の各部（表示パネル４４、タッチパネル４６など）に対する制御、各部の状態情報の収集を行う。また、収集した状態情報に応じて、各部の制御を行う。また、コントローラ３からの指令（例えば、表示装置４に対する省エネ運転指令）も制御部４８に入力される。制御部４８は、ＣＰＵ（Ｃｅｎｔｒａｌ  Ｐｒｏｃｅｓｓｉｎｇ  Ｕｎｉｔ）等により構成される。
【００３６】
パネル用冷却ファン４９は、表示パネル４４を冷却するためのファンであり、ファン４９ａ１、４９ａ２、４９ａ３、４９ｂ１、４９ｂ２、４９ｂ３の６個のファンの総称である。なおファン４９ａ１、４９ａ２、４９ａ３の３個のファンは、表示装置４の外部から内部への吸気を行うための吸気用ファン４９ａであり、４９ｂ１、４９ｂ２、４９ｂ３の３個のファンは、表示装置４の内部から外部への排気を行うための排気用ファン４９ｂである。
【００３７】
温度センサ５０ａは、温度の測定を行うものであり、例えばサーミスタで実現される。温度センサ５０ａによって検出された温度の情報は、主としてパネル用冷却ファン４９の駆動制御にも利用される。
【００３８】
照度センサ５０ｂは、表示装置４の前面外部（図６を参照）に設けられており、照度を検出する。照度センサ５０ｂによって検出された照度の情報は、制御部４８に伝送され、パネル用冷却ファン４９の駆動制御に利用可能となっている。なお各種のセンサ（５０ａ、５０ｂ）は、それぞれ複数個が設けられるようにしても構わない。この場合、例えば検出値の平均値、最大値、或いは最小値などが適宜算出され、算出された値を検出値として採用することも可能である。
【００３９】
図５は、表示装置４を背面側から見たときの回路配置を表している。具体的には、バックライト４５の背面側から見た図である（図７参照）。本図に示すように、バックライト４５の背面側には、電源ボード６０ａ、メインボード６０ｂ、液晶パネル制御ボード６０ｃ、およびタッチパネル信号処理／制御ボード６０ｄが設けられている。電源ボード６０ａには上述の電源回路４７が配備される。
【００４０】
メインボード６０ｂには、上述の制御部４８、信号処理部４３ａなどが配備される。また、温度センサ５０ａのうちの１つ（５０ａ１）が配備される。液晶パネル制御ボード６０ｃには上述のパネル制御回路４３ｂが配備される。タッチパネル信号処理／制御ボード６０ｄには、上述のＴＰ処理回路５２が配備される。なお、電源ボード６０ａ、メインボード６０ｂはバックライト４５の背面側の中央に配置されている。また液晶パネル制御ボード６０ｃ、およびタッチパネル信号処理／制御ボード６０ｄは、バックライト４５の背面側かつエッジ部分に配置されている。
【００４１】
そして温度センサ５０ａは、メインボード６０ｂ上に設けられる温度センサ５０ａ１のほか、ファン４９ａ、又は４９ｂの近傍にも設けられている。５個分（それぞれを図中にｔｈ１〜ｔｈ５で示す）が設けられている。より具体的には、メイン回路４３ａに１個のサーミスタ（ｔｈ１）が、パネル用冷却ファン４９の側にその他のサーミスタ（ｔｈ２〜ｔｈ５）が、それぞれ設けられている。表示装置４の熱制御（パネル用冷却ファン４９の駆動制御）には、これらのサーミスタが用いられる。但し当該制御には、特にメイン回路４３ａに設けられたサーミスタ（ｔｈ１）の検出情報が、主に用いられるようになっている。
【００４２】
なお本実施形態では、温度センサ５０ａは、上述の場所以外にも設けられても良い。例えば、液晶パネル制御ボード６０ｃや、タッチパネル信号処理／制御ボード６０ｄ上に設けるようにしても良い。
【００４３】
［表示装置の冷却機構について］
表示装置４において、特に表示パネル４４は、太陽光の照射やバックライト４５による照射により熱せられる。また液晶パネルの温度が高くなり過ぎると、液晶の液化による表示障害（ブラックアウト）が生じるおそれがある。そのため、液晶パネル４４を冷却することは重要である。また温度変化によるタッチパネル４６の誤動作を防ぐため、タッチパネル４６の温度制御も重要である。そこで、表示装置４の詳細な構成について、パネル用冷却ファン４９を利用した冷却機構に言及しながら説明する。
【００４４】
図６は、表示装置４の外観図（斜め前方から見た図）である。また図７は、水平面で切断したときの表示装置４の断面図である。また図８は、図７の線分Ｘを含む鉛直面で切断したときの、表示装置４の断面図である。
【００４５】
先ず図６に示すように、表示装置４は、フロントキャビネットＦＣとバックキャビネットＢＣが前後方向に結合し、ほぼ一体的となった筐体を形成している。バックキャビネットＢＣの右側面には、吸気用ダクト１１が、バックキャビネットＢＣの左側面には排気用ダクト１２が取付けられている。
【００４６】
また図７を参照して筺体の内部には表示パネル４４が設けられており、その後にはバックライト４５が設けられている。更にその背部には電源ボード６０ａ、メインボード６０ｂなどが配備される。またフロントキャビネットＦＣには、表示パネル４４と向い合う位置に、透明な前面ガラス１３（透明保護部材の一種）が設けられている。前面ガラス１３の前側の表面には、タッチパネル４６が設けられている。なお、この図７は、図６で示される表示装置４を（高さ方向に関して）中央部分で切断したと仮定した場合の断面図である。また、図７では、バックライト４５を板状の部材であるがごとく記載しているが、バックライト４５として、ＣＣＦＬを用いた場合、光源部分は実際には表示装置４の下面側に配置され、これが導光板（ライトガイド）により表示パネル４４の全体に光が導かれる。即ち、図７でいうところのバックライト４５は、正確には導光板を指す。なお、バックライト４５としてＬＥＤ光源を用いる場合、ＬＥＤ光源を表示パネル４４の真裏に配備するケースもあり、この場合、図７でいうところのバックライト４５は、ＬＥＤ光源（ユニット）を指すこととなる。
【００４７】
表示パネル４４に表示されたコンテンツ（画像）の光は、前面ガラス１３およびタッチパネル４６を介して前方に届けられる。なお図２に示したように、タッチパネル４６は前方に向けて露出しているため、屋外表示システム９の前方に居る観察者（通行人など）は、この表示されたコンテンツを見ることが可能となっている。
【００４８】
表示装置４の筐体内部においては、表示パネル４４の前面と前面ガラス１３の間に空気を流すための空間ＳＰが設けられている。この空間ＳＰは、図７に示すように、吸気ダクト１１に通じる吸気口１４には、吸気用ファン４９ａ（４９ａ１、４９ａ２、４９ａ３）が、排気ダクト１２に通じる排気口１５には、排気用ファン４９ｂ（４９ｂ１、４９ｂ２、４９ｂ３）が設けられている。
【００４９】
なお図８に示すように、吸気口１４は、表示装置４の右側面に、上下方向に並ぶように３箇所に設けられている（１４ａ、１４ｂ、１４ｃ）。また排気口１５は、表示装置４の左側面に、上下方向に並ぶように３箇所に設けられている（１５ａ、１５ｂ、１５ｃ）。なお図示していないが、吸気口１４や排気口１５の各々には、表示装置４の内部に雨・埃等が入らないようにするためのフィルタが設けられていても良い。
【００５０】
パネル用冷却ファン４９が回転することにより、流路ＳＰにおいて、吸気口１４から排気口１５へ向かう方向、すなわち図７や図８に矢印ＦＬで示す方向の送風が行われる。
【００５１】
これにより、表示パネル４４と前面ガラス１３との間を含む空間ＳＰに、吸気口１４から排気口１５へ流れる空気流が発生する。その結果、この空気流が液晶パネル４４から熱を奪うことになり、液晶パネル４４を冷却できる。
【００５２】
図８を参照して、吸気用ダクト１１は、３つの吸気口１４を外側から覆うように、バックキャビネットＢＣの側面に沿って、上下方向に伸びた形状となっている。更に本体部分に対して下方に延びた態様となっている。
【００５３】
また吸気用ダクト１１の下端には、下向きに開口したダクト吸気口１１ａが設けられている。ダクト吸気口１１ａには、開口部９１ａを通じて本体ケース９１の外部から入ってきた空気が流入する。なお雨や埃などは上側から落ちてくることが多いところ、ダクト吸気口１１ａは上向きではなく下向きに開口しているため、吸気用ダクト１１自体にも雨・埃等が入り難くなっている。
【００５４】
また表示装置４の側面のうち、左側には、排気用ダクト１２が取付けられている。排気用ダクト１２は、３つの排気口１５を外側から覆うように、バックキャビネットＢＣの側面に沿って、上下方向に伸びた形状となっている。
【００５５】
また排気用ダクト１２の下端には、下向きに開口したダクト排気口１２ａが設けられている。
【００５６】
ダクト排気口１２ａへ導かれた空気は、更に開口部９１ａを通じて、本体ケース９１の外部へ排出されることとなる。なおダクト排気口１２ａは上向きではなく下向きに開口しているため、排気用ダクト１２自体にも雨・埃等が入り難くなっている。
【００５７】
［パネル用冷却ファンの制御方法について］
表示装置４では、温度センサ５０ａ及び／又は照度センサ５０ｂからの出力結果に応じてパネル用冷却ファン４９が駆動させる。
【００５８】
（第１の制御方法）
まず、温度センサ５０ａからの出力結果に応じて、ファンの駆動制御を行う方法を説明する。例えば、温度センサ５０ａの出力結果に応じてファンの駆動個数を変える場合、温度が低い場合は、６つのファン（４９ａ、４９ｂ）を全て停止させる。温度が少し上昇し、温度Ｔ１となったとき、真ん中のファン４９ａ２、４９ｂ２のみを駆動する。温度が更に上昇し、温度２になったとき、両端のファン４９ａ１、４９ｂ１、４９ａ３、４９ｂ３を駆動し、真ん中のファン４９ａ２、４９ｂ２は停止する。そして更に温度が上昇して、温度Ｔ３となったとき、全てのファンを駆動させるような制御を行う。これに回転速度制御を組み合わせて行うようにしても良い。
【００５９】
このような制御により、表示パネル４４の温度上昇抑制と消費電力の低減の双方を両立させることが可能となる。なお、ファンを急速に回転させた場合、温度の急激な変化でタッチパネル４６に誤動作が発生する虞がある。これを抑えるため、ファンの制御はタッチパネル４６面の温度の変化が極力小さくなるように配慮しても良い。例えば、ファンの回転速度を急激に上昇させるのではなく、段階的に上昇させるようにしても良い。
【００６０】
（第２の制御方法）
次に、照度センサ５０ｂからの出力結果に応じて、ファンの駆動制御を行うこともできる。ファンの駆動個数の制御は、温度センサ５０ａを利用する場合と同様に行うことができる。また、ファンの駆動を開始させるときの閾値の目安としては、直射日光が当たったときに超えると想定される値（一例としては、１００００ルクス）に設定される。
【００６１】
なお照度センサ５０ｂによれば、直射日光が当たる状況となったことを、これによる温度上昇が生じる前に検出することが可能であり、ひいては、温度センサ５０ａに比べてより早期の温度制御が可能である。即ち、温度上昇が生じる前に冷却を強めることで、温度上昇を事前に抑えることが可能である。
【００６２】
（第３の制御方法）
また、温度センサ５０ａと照度センサ５０ｂを組み合わせた制御も考えられる。例えば、冬季に晴天である場合、直射日光が表示パネル４４に当たるのでパネル面での温度は上昇する。しかしながら、外気温が低いことに起因して温度センサ５０ａでの検出温度は低いままである。かかる場合に、温度センサ５０ａのみに基づいてファンの駆動制御を行うと、表示パネル４４の適切な冷却が行えない。
【００６３】
一方、夏季に雨天である場合、直射日光は表示パネル４４に当たらない。しかし外気温は高いので、バックライト４５による照射ともあいまって、表示パネル４４の温度は高くなる。このような場合において、照度センサ５０ｂのみの出力に基づいてファンの駆動制御を行うのでは、表示パネル４４の適切な冷却が行えない。
以上の状況に鑑み、表示装置４を屋外に常時（年中）設置する場合、温度センサ５０ａと照度センサ５０ｂとを組み合わせて、ファンの制御を行うことが好ましい。
【００６４】
以上、本発明の実施形態について説明したが、本発明はこの内容に限定されるものではない。また本発明の実施形態は、本発明の主旨を逸脱しない限り、種々の改変を加えることが可能である。なお表示装置４の表示部の例として液晶表示パネルを例に説明したが、これに代えて、プラズマパネル、有機ＥＬ、電子ペーパー、ＣＲＴ、或いは広告フィルムなどでも良い。
【産業上の利用可能性】
【００６５】
本発明は、屋外で用いられる屋外表示システムなどに利用することができる。
【符号の説明】
【００６６】
１    太陽電池
２    蓄電池
３    コントローラ
４    表示装置
５    電源用冷却ファン
５ａ  吸気ファン
５ｂ  排気ファン
６    ファン制御装置
７    冷却ケース
８    インバータ
９    屋外表示システム
１１    吸気側ダクト
１１ａ  ダクト吸気口
１２    排気側ダクト
１２ａ  ダクト排気口
１３    前面ガラス（透明保護部材）
１４    吸気口
１５    排気口
４１    受信部
４２    蓄積部
４３    表示制御部
４３ａ  信号処理回路
４３ｂ  パネル制御回路
４４    表示パネル
４５    バックライト
４６    タッチパネル
４７    電源回路
４８    制御部
４９    パネル用冷却ファン
４９ａ  吸気ファン
４９ｂ  排気ファン
５０ａ  温度センサ
５０ｂ  照度センサ
６０ａ  電源ボード
６０ｂ  メインボード
６０ｃ  液晶パネル制御ボード
６０ｄ  タッチパネル信号処理／制御ボード
７１    吸気口
７２    排気口
７３    吸気側ダクト
７３ａ  ダクト吸気口
７４    排気側ダクト
７４ａ  ダクト排気口
９１    本体ケース
９２    脚部
９３    支持部
９４    屋根
９５    太陽電池パネル
ＦＣ    フロントキャビネット
ＢＣ    バックキャビネット
ｔｈ１〜ｔｈ５    サーミスタ
【図４】
2012141414.tif 000003
【図１】
2012141414.tif 000004
【図２】
2012141414.tif 000005
【図３】
2012141414.tif 000006
【図５】
2012141414.tif 000007
【図６】
2012141414.tif 000008
【図７】
2012141414.tif 000009
【図８】
2012141414.tif 000010